(57)【要約】      （修正有）【課題】漁場で捕獲した生魚を海上へ一時的に敷設した幾つかの生簀に貯留させ、これら生簀を小型船で曳航して港へ持ち帰る際に生簀網の形状を崩れないように曳航するためのコスト的に安価な製品の提供。【解決手段】底辺３ｍ〜６ｍ、高さ３ｍ〜７ｍとなした三角状布体１を作成し、該三角状布体を生簀網４の曳航方向となる前面側の底面部付近に対し、その底辺を平行状態に取付ける。この際、生簀網は直径凡そ２０ｍ〜５０ｍ、深さ凡そ１０ｍ〜２０ｍであり、上記三角状布体の複数枚を生簀網の曳航方向となる前面側の底面部付近箇所へ直列状態に取付けたり、三角状布体を脱着自在に取付けたりする。【選択図】図２
0003107116.tif 000002
【実用新案登録請求の範囲】
【請求項１】
底辺凡そ３ｍ〜６ｍ、高さ凡そ３ｍ〜７ｍとなした三角状布体を作成し、該三角状布体を生簀網の曳航方向となる前面側の底面部付近に対し、その底辺を平行状態に取付けたことを特徴とする曳航用生簀。
【請求項２】
生簀網は直径凡そ２０ｍ〜５０ｍ、深さ凡そ１０ｍ〜２０ｍであって、上記三角状布体の複数枚を生簀網の曳航方向となる前面側の底面部付近箇所へ直列状態に取付けたものとなしてあることを特徴とする請求項１記載の曳航用生簀。
【請求項３】
三角状布体を脱着自在に取付けたことを特徴とする請求項１又は２記載の曳航用生簀。
【請求項４】
三角状布体の底辺部の数箇所に鳩目環を取付け、該鳩目環に係止金具或いは縛り紐を取付けたものとなしてあることを特徴とする請求項３記載の曳航用生簀。
【考案の詳細な説明】
【技術分野】
【０００１】
本考案は漁場で捕獲した魚を漁場に設置した生簀内に入れ、該生簀を別途小型船により曳航し、生魚状態を維持しながら港まで持ち帰れるようにする曳航用生簀に関する。
【背景技術】
【０００２】
上記の如き漁場で捕獲した魚を船上に収容することなく、即ち海上へ浮遊設置した生簀内へ貯留させ、且つそのまま活魚の状態で港へ曳航して持ち帰ることは、可及的に新鮮な生魚を市場に提供できる上で優れることから、現今の漁法で注目されるものとなっている。
【特許文献１】特開２００２−３６０１１２
【考案の開示】
【考案が解決しようとする課題】
【０００３】
上記に於いて漁場から港へ生簀を曳航するさい、生簀は航速の影響を強く受けることにより、全体的に底部が持ち上がって扁平化されることから、これを防止するべく網底に錘りを取付けることが行われるが、比較的安定した形状を保つためには多数の錘りを取付ける必要があり、これは逆に曳航を困難ならしめる問題となる。
上記特開２００２−３６０１１２号記載の発明もこの問題を解決せんとするものであり、即ちこのものでは網体の左右側面部に多数の袋状カイトを取付けるものとなしているが、その縫着が容易ではなくコスト高となり、また既存の網体に迅速に対応処置することができるものとならない。本考案は上記問題点を安価なコストで迅速且つ適確に対応処理できるようにするものである。
【課題を解決するための手段】
【０００４】
本考案は、底辺凡そ３ｍ〜６ｍ、高さ凡そ３ｍ〜７ｍとなした三角状布体を作成し、該三角状布体を生簀網の曳航方向となる前面側の底面部付近に対し、その底辺を平行状態に取付けたものとする。このさい、対象とする生簀網は直径凡そ２０ｍ〜５０ｍ、深さ凡そ１０ｍ〜２０ｍ程度であって、上記三角状布体の複数枚を直列状態や適度の傾斜角度で取付けたものとなしたり、また三角状布体は脱着自在に取付けたりする。具体的には三角状布体の底辺部の数箇所に対し鳩目環を取付け、該鳩目環に市販の係止金具或いは縛り紐を取付け、これを生簀網の網紐に縛り付けたり、引っ掛けるようにするのである。
【考案の効果】
【０００５】
本考案は一定大きさ形状の三角状布体を作成し、該三角状布体の複数枚を曳航方向となる生簀網の前面側の底面部付近に取付け、各三角状布体の先端にはこれを曳航するための紐を副紐として取付け、生簀網上辺部の曳航用主紐と共に小型船舶の船尾に取付けて曳航するようになすのであるが、副紐のみは適当な緩み加減の長さになして置くことにより生簀網全体が曳航される方向へ浮き上がらんとする作用を上記三角状布体内に孕んだ海流で下方に向かう押圧作用を惹起させるものとなし、生簀網の筒体形状の崩れを効果的に防止することができるものとなる。
このさい、上記三角状布体の取付け取外しは自由自在であり、且つ三角状布体の任意の形状寸法のものを種々に用意し、これらを各種の生簀網の大きさに適応するよう、その取付け位置を含めて適宜な変更が臨機応変に可能である。而して、これに要する費用も安価ですむものである。
【考案を実施するための最良の形態】
【０００６】
図１は本考案に係る三角状布体１の斜視図である。ここに該布体は太番手の綿による強度的に優れた帆布や抗張力に優れた合成繊維織布などからなり、その大きさは任意な寸法に設計することができる。ここで本考案で対象とする直径凡そ２０ｍ〜５０ｍ、深さ凡そ１０ｍ〜２０ｍの生簀網に対しては、数多の実験結果からその底辺部Lを凡そ３ｍ〜６ｍ、高さｈを凡そ３ｍ〜７ｍとなしたものが、取扱いやその他で優れた作用効果の発揮することが解った。
２は底辺部の適当間隔に設けた鳩目環（金具）であって、これに対し市販の各種縛り紐３や係止金具などを取付けるのである。而して、この縛り紐３や係止金具は生簀網の底辺部付近の節目となる箇所に対し、結び付けたり引っ掛けるようになすのである。
【０００７】
図２は上記三角状布体１を生簀網４に取付けて曳航する使用状態説明図であって、図示例では３枚を生簀網４が矢印方向へ曳航される前面側の底辺部付近に対し、等間隔な直列状態に取付けたものである。
而して、その生簀網４が矢印方向へ曳航されるさいには、上記三角状布体１の布体内面が海流を孕み、該海流の分力が布体全体を下方へ引き下げるように作用するのであり、このことは隣接する三角状布体１も同様であり、従って生簀網の底辺部が上記作用により下方へ引き降ろされるようになり、全体的に生簀網の浮き上がりが効果的に防止されて通常の筒体形状が保たれるようになるのである。図面で５は曳航用主紐、６は同副紐である。
【０００８】
上記実施例では同一大きさの３枚の三角状布体を直列状に設けたものを示したが、図３は他の例を示すものである。本例では中央の三角状布体の寸法形状のものを他のものより比較的大きいものとなし、且つ少し上方位置に配置したものである。これは最も水流の強くなる中央で大きな下降圧力が得られるようにするのであり、他の２枚はバランス良く生簀網の底面部が浮上らないように作用させるものとなっている。このさい、中央を除く両脇サイズは適宜な傾斜角度を選定して取付けるようになしても良い。
【０００９】
本考案で使用する三角状布体１は生簀網の曳航される前面側で、抵抗として受ける海流を効果的に収斂させ、しかもその布面内に孕んだ海流で強く生簀網の底面部を下方へ押し下げようとする力が発揮でき、生簀網の形崩れや浮上り防止が低コストで効果的に図れるものとなるのである。なお、沈降用の錘り７も少なくて済ませることもできる。
【図面の簡単な説明】
【００１０】
【図１】本考案に係る三角状布体の斜視図である。
【図２】上記三角状布体を生簀網に取付けて曳航する使用状態説明図である。
【図３】他の例を示す斜視図である。
【符号の説明】
【００１１】
１      三角状布体
２      鳩目環
３      縛り紐
４      生簀
５      曳航用主紐
６      曳航用副紐
【図１】
0003107116.tif 000003
【図２】
0003107116.tif 000004
【図３】
0003107116.tif 000005